(57)【要約】【課題】画面表示がブラックアウト状態から通常状態に復帰する際の操作性、認知性に優れた画面表示方法およびこの画面表示方法を用いた設備監視装置を得ること。【解決手段】表示手段において表示する表示画面同士の関係を示す画面ツリーの情報に基づいて該画面ツリーに属する表示画面の代表画面を選定して代表画面情報を生成する工程と、表示手段に表示している表示画面と画面ツリーの情報とに基づいて、表示画面が属する画面ツリーの代表画面を、表示手段がブラックアウト状態から通常状態に復帰する際に表示する復帰画面として選定する工程と、表示手段をブラックアウト状態に設定する工程と、表示手段のブラックアウト状態の設定を解除する工程と、解除条件の充足を検知した後、復帰画面の情報に基づいて復帰画面を生成する工程と、表示手段のブラックアウト状態を解除して該表示手段に復帰画面を表示する工程と、を含む。【選択図】        図１
2007121768.tif 000002
【特許請求の範囲】
【請求項１】
表示内容が動的に変化する表示手段における画面表示方法であって、
前記表示手段において表示する表示画面同士の関係を示す画面ツリーの情報に基づいて該画面ツリーに属する表示画面の代表画面を選定して代表画面情報を生成する代表画面情報生成工程と、
前記表示手段に表示している表示画面と前記画面ツリーの情報とに基づいて、前記表示画面が属する画面ツリーの前記代表画面を、前記表示手段がブラックアウト状態から通常状態に復帰する際に表示する復帰画面として選定する復帰画面選定工程と、
前記表示手段のブラックアウト設定条件を充足したときに、表示手段をブラックアウト状態に設定するブラックアウト状態設定工程と、
前記表示手段のブラックアウト状態の解除条件を充足したときに、表示手段のブラックアウト状態を解除するブラックアウト設定解除工程と、
前記表示手段のブラックアウト状態が解除された後、前記復帰画面の情報に基づいて復帰画面を生成する復帰画面生成工程と、
前記表示手段のブラックアウト状態を解除して該表示手段に前記復帰画面を表示する復帰画面表示工程と、
を含むことを特徴とする画面表示方法。
【請求項２】
前記画面ツリーの情報は、一つの画面ツリーを所定の条件により複数の画面ツリーに分割して生成されること
を特徴とする請求項１に記載の画面表示方法。
【請求項３】
前記復帰画面が、ブラックアウト状態に設定する直前に前記表示手段に表示している表示画面が属する画面ツリーの前記代表画面であること
を特徴とする請求項１に記載の画面表示方法。
【請求項４】
前記代表画面は、各表示画面の使用頻度を基準に決定されること
を特徴とする請求項１に記載の画面表示方法。
【請求項５】
表示内容が動的に変化する表示手段を備える設備監視装置であって、
各種画面を動的に変化させて表示する前記表示手段と、
前記表示手段において表示する表示画面同士の関係を示す画面ツリーの情報に基づいて該画面ツリーに属する表示画面の代表画面を選定して代表画面情報を生成する代表画面情報生成手段と、
前記表示手段に表示している表示画面と前記画面ツリーの情報とに基づいて、前記表示画面が属する画面ツリーの前記代表画面を、前記表示手段がブラックアウト状態から通常状態に復帰する際に表示する復帰画面として選定し、該復帰画面の情報を保持する復帰画面選定手段と、
前記表示手段をブラックアウト状態に設定するブラックアウト設定手段と、
前記表示手段のブラックアウト状態を解除するブラックアウト設定解除手段と、
前記復帰画面の情報に基づいて復帰画面データを生成する復帰画面生成手段と、
前記表示手段のブラックアウト状態を解除して、前記生成した復帰画面データにより該表示手段に復帰画面を表示する復帰画面表示手段と、
を備えることを特徴とする設備監視装置。
【請求項６】
前記画面ツリーの情報は、一つの画面ツリーを所定の条件により複数の画面ツリーに分割して生成されていること
を特徴とする請求項５に記載の設備監視装置。
【請求項７】
前記復帰画面が、ブラックアウト状態に設定する直前に前記表示手段に表示している表示画面が属する画面ツリーの前記代表画面であること
を特徴とする請求項５に記載の設備監視装置。
【請求項８】
前記代表画面は、各表示画面の使用頻度を基準に決定されること
を特徴とする請求項５に記載の設備監視装置。
【発明の詳細な説明】
【技術分野】
【０００１】
本発明は、画面表示方法およびこの画面表示方法を用いた設備監視装置に関するものであり、特に、接続機器の動作内容や画面操作内容により画面の表示内容が動的に変化する設備監視装置においてブラックアウト状態から通常状態に復帰する際の画面表示方法およびこの画面表示方法を用いた設備監視装置に関するものである。
【背景技術】
【０００２】
従来、外部装置等と接続されて該外部装置の制御および監視等を行う設備監視装置が広く用いられている。このような設備監視装置においては、接続された外部機器の動作内容や画面操作内容により該設備監視装置の表示画面の表示内容が動的に変化する。そして、このような設備監視装置の表示画面がブラックアウト状態から通常状態に復帰する際の画面表示方法においては、単純にブラックアウト状態となった直前の画面や、先頭画面、またはメニュー画面等の画面を表示している（たとえば、特許文献１参照）。
【０００３】
また、家庭用の設備監視装置においては、接続機器が増えていくに従って設備監視装置で表示する操作画面の数は必然的に増えていく。また、今後の技術の発達により、単純な機器操作だけではなく、機器相互の連携操作や、インターネットへの接続によるホームページの閲覧や携帯電話からの操作、ドアホン等との融合などにより、操作画面が飛躍的に増加する。
【０００４】
【特許文献１】特開２００２−３４１８３０号公報（第３頁、図２）
【発明の開示】
【発明が解決しようとする課題】
【０００５】
しかしながら、上述したような従来の方法のように、設備監視装置の画面表示がブラックアウト状態から通常状態に復帰する際に、単純にブラックアウト状態となった直前の画面を復帰する際の画面とした場合には、設備監視装置で扱う操作画面の数が多いために復帰した画面がどの接続機器のどの操作画面であるのかをユーザが認識することが困難となる、という問題がある。
【０００６】
また、設備監視装置の画面表示がブラックアウト状態から通常状態に復帰する際に、先頭画面やメニュー画面を復帰する際の画面とした場合には、ユーザは復帰する度に何回も同じ操作を繰り返して自分が操作したい機器やホームページの閲覧画面等へ進まなくてはならず、操作性が低下する、という問題がある。
【０００７】
本発明は、上記に鑑みてなされたものであって、画面表示がブラックアウト状態から通常状態に復帰した後の操作性、認知性に優れた画面表示方法およびこの画面表示方法を用いた設備監視装置を得ることを目的とする。
【課題を解決するための手段】
【０００８】
上述した課題を解決し、目的を達成するために、本発明にかかる画面表示方法は、表示内容が動的に変化する表示手段における画面表示方法であって、表示手段において表示する表示画面同士の関係を示す画面ツリーの情報に基づいて該画面ツリーに属する表示画面の代表画面を選定して代表画面情報を生成する代表画面情報生成工程と、表示手段に表示している表示画面と画面ツリーの情報とに基づいて、表示画面が属する画面ツリーの代表画面を、表示手段がブラックアウト状態から通常状態に復帰する際に表示する復帰画面として選定する復帰画面選定工程と、表示手段のブラックアウト設定条件を充足したときに、表示手段をブラックアウト状態に設定するブラックアウト状態設定工程と、表示手段のブラックアウト状態の解除条件を充足したときに、表示手段のブラックアウト状態を解除するブラックアウト設定解除工程と、表示手段のブラックアウト状態が解除された後、復帰画面の情報に基づいて復帰画面を生成する復帰画面生成工程と、表示手段のブラックアウト状態を解除して該表示手段に復帰画面を表示する復帰画面表示工程と、を含むことを特徴とする。
【発明の効果】
【０００９】
この発明によれば、表示手段の表示内容が動的に変化する表示方法において、表示手段がブラックアウト状態から通常状態に復帰した際に表示する復帰画面を、ブラックアウト状態になる前の画面に対応させて動的に決定するため、表示手段がブラックアウト状態から通常状態に復帰した後の操作性および認知性に優れた画面表示を行うことができる、という効果を奏する。
【発明を実施するための最良の形態】
【００１０】
以下に、本発明にかかる画面表示方法およびこれ用いた設備監視装置の実施の形態を図面に基づいて詳細に説明する。なお、本発明は以下の記述に限定されるものではなく、本発明の要旨を逸脱しない範囲において適宜変更可能である。
【００１１】
実施の形態１．
図１は、本発明の実施の形態１にかかる設備監視装置１の機能構成と、該設備監視装置に接続される接続機器と該設備監視装置との接続関係と、を示すブロック図である。本実施の形態にかかる設備監視装置１は、制御手段２と、表示手段３と、バックライト４と、画面管理手段５と、復帰画面管理手段６と、ポインティングデバイス７と、機器通信手段８と、を備えて構成されている。また、設備監視装置１には、該設備監視装置１が制御および監視する対象外部機器である機器Ａ１０と機器Ｂ１１と機器Ｃ１２とが通信路９により接続されている。
【００１２】
なお、ここでは、設備監視装置１が制御および監視する対象外部機器として３つの外部機器が接続されている場合について説明するが、設備監視装置１が制御および監視する対象外部機器は３つに限定されるものではなく、設備監視装置１は、より多数の外部機器の制御および監視を行うことが可能である。
【００１３】
制御手段２は、設備監視装置１の全体の動作を制御する制御手段である。制御手段２は、たとえば機器通信手段８から得た通信情報より接続機器の個数や該接続機器の状態を把握する。また、制御手段２は、表示手段３やバックライト４、画面管理手段５、復帰画面管理手段６、ポインティングデバイス７が保持するデータをそれぞれ必要な手段へ送信する。
【００１４】
表示手段３は、自装置および自装置に接続された接続機器（機器Ａ１０、機器Ｂ１１、機器Ｃ１２）の状態を、アイコン等を用いてユーザに示すための表示手段であり、たとえば液晶表示装置等を用いることができる。表示手段３は、表示する画像データや画像の位置情報、表示個数等が、画面管理手段５により管理されている。バックライト４は、表示手段３の視認性を向上させるための光源である。
【００１５】
画面管理手段５は、表示手段３において表示する画像データや画像の位置情報、表示個数等を管理するとともに、次の画面への画面遷移の要否を判断し、画面の表示に関する情報の生成、表示処理等を行う。また、画面管理手段５は、表示手段３に表示している画面が、機器Ａ１０の表示画面同士の関係を示す操作画面ツリーに属する画面であるのか、または機器を管理する表示画面同士の関係を示す画面ツリーに属する画面であるのか、またはホームページの表示画面同士の関係を示す閲覧画面ツリーに属する画面であるのか、など表示手段３に表示している画面がどのような画面ツリーにいるのかも管理している。さらに、画面管理手段５は、画面ツリーがどのような形態を取っているかの情報も記憶している。
【００１６】
復帰画面管理手段６は、バックライト４が消灯状態から点灯状態へ復帰し、表示手段３がブラックアウト状態から通常状態に復帰する際の該表示手段３に表示する画面（復帰画面）に関する情報の管理、処理を行う。ポインティングデバイス７は、表示手段３に表示される画面を用いてユーザに任意の画像や位置を選択させるための入力手段である。このポインティングデバイス７から得られる位置情報は、画面管理手段５においてユーザからの操作情報として使用される。
【００１７】
機器通信手段８は、接続機器との通信を行うための通信手段であり、機器Ａ１０、機器Ｂ１１、機器Ｃ１２との通信制御を行う。
【００１８】
図２は、本実施の形態における画面管理手段５が保持する画面ツリーの情報を示す概念図である。図２において四角ブロックの一つ一つが１つの画面を示している。また、図２において一番上の画面（Ｍ）３１がメニュー画面を示す。そして、機器Ａ１０の操作画面のツリー（以下、画面（Ａ）ツリーと呼ぶ）においては、画面（Ａ）３２が機器Ａ１０の操作画面のトップ画面を示し、画面（Ａ１）３３〜画面（Ａ４）３６が機器Ａ１０を操作するために必要な操作画面を示している。
【００１９】
機器Ｂ１１の操作画面のツリー（以下、画面（Ｂ）ツリーと呼ぶ）、機器Ｃ１２の操作画面のツリー（以下、画面（Ｃ）ツリーと呼ぶ）についても同様であり、画面（Ｂ）３７が機器Ｂ１１の操作画面のトップ画面を示し、画面（Ｂ１）３８〜画面（Ｂ３）４０が機器Ｂ１１を操作するために必要な各操作画面を示している。また、画面（Ｃ）４１が機器Ｃ１２の操作画面のトップ画面を示し、画面（Ｃ１）４２〜画面（Ｃ５）４６が機器Ｃ１２を操作するために必要な各操作画面を示している。
【００２０】
また、図２において各画面をつなぐ線分は画面遷移の関係を示している。たとえば、画面（Ｍ）３１からは画面（Ａ）３２、画面（Ｂ）３７、画面（Ｃ）４１へ遷移することができ、これら以外の他の画面へは直接遷移できないことを示している。したがって、たとえば画面（Ｍ）３１から画面（Ａ３）３５へ直接遷移することはできず、画面（Ｍ）３１から画面（Ａ３）３５へ遷移するためには、画面（Ｍ）３１から画面（Ａ）３２へ遷移し、つぎに画面（Ａ）３２から画面（Ａ１）３３へ遷移し、最後に画面（Ａ１）３３から画面（Ａ３）３５へ遷移することになる。
【００２１】
同様に、たとえば画面（Ｍ）３１から画面（Ｃ３）４４へ直接遷移することはできず、画面（Ｍ）３１から画面（Ｃ３）４４へ遷移するためには、画面（Ｍ）３１から画面（Ｃ）４１へ遷移し、つぎに画面（Ｃ）４１から画面（Ｃ１）４２へ遷移し、最後に画面（Ｃ１）４２から画面（Ｃ３）４４へ遷移することになる。
【００２２】
以上のような本実施の形態にかかる設備監視装置１は、自装置に接続された接続機器の動作内容やポインティングデバイス７等による画面操作内容により画面の表示内容が動的に変化する。
【００２３】
つぎに、上記のように構成された本実施の形態にかかる設備監視装置１の動作について説明する。上述したように設備監視装置１は、通信路９により機器Ａ１０、機器Ｂ１１、機器Ｃ１２と接続されている。まず、これらの接続機器（機器Ａ１０、機器Ｂ１１、機器Ｃ１２）から通信路９を介して、機器の状態等の情報が設備監視装置１へ送信される。
【００２４】
設備監視装置１では、この接続機器から送信された情報を機器通信手段８が受信し、制御手段２へ送信する。制御手段２は、受信した情報から必要な情報を取り出し、制御監視対象の機器数情報や機器の状態情報等を接続機器情報として格納し、保持する。つぎに、制御手段２は、これらの情報を画面管理手段５へ送信する。
【００２５】
画面管理手段５は、制御手段２から送信された情報を受信し、この情報を基にして、予め決められたルール・手順により所定の画像データを生成する。ここで、あらかじめ決められたルール・手順には上述した画面ツリー情報の概念も含まれており、画面管理手段５は表示手段３に現在どの画面が表示されているかにより、表示するアイコンやその位置を決定する。
【００２６】
画面管理手段５は、表示するアイコンや位置を決定すると、その情報を制御手段２に送信する。制御手段２は、画面管理手段５から送信された情報と画像データとを受信すると、これらを表示手段３へ送信する。表示手段３は、画面管理手段５から送信された該情報と画像データとを受信し、これらに基づいて表示手段３が備える表示画面に画像やアイコンを表示する。
【００２７】
また、ユーザがポインティングデバイス７を用いてアイコンを操作することにより機器の操作が行われた場合には、その操作の操作情報がポインティングデバイス７から制御手段２に送信される。制御手段２は、ポインティングデバイス７から送信された操作情報を受信すると、該操作情報を制御情報として機器通信手段８に送信する。機器通信手段８は、制御手段２から送信された操作情報を受信すると、該操作情報に基づいて所定の処理を行う。
【００２８】
また、制御手段２は、操作情報を機器通信手段８に送信すると同時に画面管理手段５にも該操作情報を送信する。画面管理手段５は、操作情報を受信すると、表示手段３の画面の遷移が必要か否かを該操作情報に基づいて判断する。
【００２９】
ここで、画面管理手段５は、画面の遷移が必要ではないと判断した場合には、該操作情報に基づいた処理は終了する。一方、画面管理手段５は、画面の遷移が必要であると判断した場合には、たとえば図２に示したような画面ツリー情報を基に遷移先の画面を決定する。そして、画面管理手段５は、決定した画面の画像データ（表示画面情報）を作成し直して、作製した表示画面情報を制御手段２に送信する。制御手段２は、画面管理手段５から送信された表示画面情報を受信すると該情報を表示手段３へ送信する。表示手段３は、制御手段２から送信された表示画面情報を受信すると、該表示画面情報に基づいて表示手段３の画面表示を変更する。
【００３０】
ここで、画面管理手段５により表示画面情報が作成される度に、その情報は上述したように制御手段２を介して表示手段３へ伝えられるのと同時に、復帰画面管理手段６にも伝えられる。そして、復帰画面管理手段６では、現在表示している画面と画面管理手段５が保持する画面ツリー情報とを基に、表示手段３の画面がブラックアウト状態から通常状態に復帰する際の表示画面（復帰画面）を決定し、その決定した復帰画面の情報（復帰画面情報）を保持する。
【００３１】
ここで、決定する復帰画面は、現在表示している画面でブラックアウト状態に移行した場合に、ブラックアウト状態から通常状態に復帰する際の表示画面（復帰画面）である。したがって、復帰画面管理手段６では画面管理手段５で作成された表示画面情報が伝えられる度に、その画面（表示画面情報）に対応した復帰画面を決定し、復帰画面の情報（復帰画面情報）を保持する。復帰画面管理手段６における復帰画面の決定方法については後述する。また、表示している画面でブラックアウト状態に移行した場合だけ復帰画面を決定するようにしても良い。
【００３２】
そして、制御手段２は、たとえば一定時間以上ポインティングデバイス７が操作されない等のブラックアウト状態へ移行するためのブラックアウト設定条件の充足を検知した場合には、バックライト４を消灯し、表示手段３の表示画面をブラックアウト状態に設定する。また、制御手段２は、たとえばポインティングデバイス７の操作がなされる等の、ブラックアウト状態を解除するための解除条件の充足を検知した場合には、表示手段３のブラックアウト状態を解除し、通常状態に復帰させる。
【００３３】
このとき、制御手段２は、まず復帰画面管理手段６から該復帰画面管理手段６で決定した復帰画面情報を取得する。この復帰画面情報は、ブラックアウト状態に移行する直前に表示手段３が表示していた画面に対応した復帰画面情報である。
【００３４】
ついで、制御手段２はこの復帰画面情報を画面管理手段５へ送信し、復帰画面データの生成を指示する。画面管理手段５は、制御手段２の指示に従って復帰画面データを生成し、生成した復帰画面データを制御手段２へ送信する。制御手段２は、画面管理手段５から送信された復帰画面データを表示手段３へ送信すると同時に表示手段３のブラックアウト状態を解除してバックライト４を点灯させる。そして、表示手段３では、制御手段２から送信された復帰画面を表示する。これにより、表示手段３のブラックアウト状態から通常状態への移行が完了する。
【００３５】
つぎに、復帰画面管理手段６における復帰画面の決定方法について説明する。復帰画面管理手段６では、画面管理手段５が保持する図２に示したような画面ツリー情報より、まず一つの画面ツリーを機能や遷移状況等の諸条件により複数の画面ツリーに分ける。たとえば、図２に示した画面ツリーの場合は、画面（Ａ）３２、画面（Ａ１）３３、画面（Ａ２）３４、画面（Ａ３）３５、画面（Ａ４）３６からなる画面（Ａ）３２に属する画面（Ａ）ツリー、画面（Ｂ）３７、画面（Ｂ１）３８、画面（Ｂ２）３９、画面（Ｂ３）４０からなる画面（Ｂ）３７に属する画面（Ｂ）ツリー、画面（Ｃ）４１、画面（Ｃ１）４２、画面（Ｃ２）４３、画面（Ｃ３）４４、画面（Ｃ４）４５、画面（Ｃ５）４６からなる画面（Ｃ）４１に属する画面（Ｃ）ツリー、そして、これらを束ねるための画面（Ｍ）３１ツリー（画面は画面（Ｍ）３１一つのみ）の４つの画面ツリーに分けられる。復帰画面管理手段６は、これらの画面ツリーからそれぞれ代表となる画面（代表画面）を一つ選択し、それぞれ選択した代表画面を各ツリーの復帰画面とする。ここでは、各画面ツリーのトップ画面を代表画面として選択する。そして、図２においては、四角ブロックをさらに四角ブロックで囲ってある画面が復帰画面（代表画面）を示している。
【００３６】
たとえば、現在の画面を画面（Ａ１）３３とした場合には、画面（Ａ１）３３は画面（Ａ）ツリーに属しているため、代表画面は画面（Ａ）ツリーのトップ画面である画面（Ａ）３２が選択される。そして、復帰画面は画面（Ａ）ツリーの代表画面である画面（Ａ）３２と導き出される。したがって、表示手段３の表示画面に画面（Ａ１）３３が表示されている時にブラックアウト状態に移行し、その後、通常状態に復帰した場合には、表示画面には復帰画面として画面（Ａ）３２が表示されることになる。すなわち、画面（Ａ）ツリーに属している画面（画面（Ａ）３２、画面（Ａ１）３３、画面（Ａ２）３４、画面（Ａ３）３５、画面（Ａ４）３６）が表示手段３の表示画面に表示されている状態でブラックアウト状態に移行した場合には、通常状態に復帰する際の表示画面はそれらの画面の代表画面である画面Ａ３２となる。画面（Ｂ）ツリー、画面（Ｃ）ツリー、画面（Ｍ）ツリーについても同様である。
【００３７】
上述したように、本実施の形態にかかる設備監視装置１においては、表示手段３がブラックアウト状態に移行した後に通常状態に復帰する際の表示画面（復帰画面）は、ブラックアウト状態になる直前の画面が属していた画面ツリーのトップ画面とされる。これにより、ユーザは復帰画面がどの接続機器のどの操作画面であるのかを容易に認識することができ、認知性の向上が図られている。
【００３８】
また、復帰画面が、ブラックアウト状態に移行する直前に表示していた画面が属する画面ツリーのトップ画面がとされることで、ユーザは復帰する度に何回も同じ操作を繰り返すことなく、自らが操作したい機器やホームページの閲覧画面等へスムーズに進むことができ、迷うことなくその後の操作を続けることが可能であり、操作性の向上が図られている。
【００３９】
したがって、本実施の形態にかかる設備監視装置１および画面表示方法によれば、表示手段３がブラックアウト状態から通常状態に復帰した後の操作性および認知性に優れた設備監視装置が実現することができる、という効果を奏する。
【００４０】
なお、上記においては、復帰画面をブラックアウト状態になる直前の画面が属していた画面ツリーのトップ画面とした場合について説明したが、本発明においては、復帰画面は画面ツリーのトップ画面に限定されるものではなく、各画面ツリーの代表的な画面やユーザが良く利用する画面を復帰画面とすることで、上記と同様に表示手段３がブラックアウト状態から通常状態に復帰した後の操作性および認知性を向上させることが可能となる。
【００４１】
実施の形態２．
実施の形態２においては、上述した実施の形態１にかかる設備管理装置において、表示画面の重みの概念、すなわち画面の使用頻度の概念を適用した例について説明する。本実施の形態にかかる設備管理装置の構成および基本的な動作は実施の形態１の場合と同様であるため、上述した実施の形態１の説明を参照することとしてここでは詳細な説明は省略する。
【００４２】
図３は、本実施の形態にかかる設備監視装置の画面管理手段５が保持する画面ツリー情報の初期状態を示す概念図である。図３に示した画面ツリー情報の概念図は実施の形態１の図２に対応した図であり、図２の場合と同様に図中の四角ブロックの一つ一つが画面を示している。そして、一番上の画面（Ｍ）３１がメニュー画面を示し、画面（Ａ）３２が機器Ａ１０の操作画面のトップ画面を示し、画面（Ａ１）３３〜画面（Ａ４）３６が機器Ａ１０を操作するために必要な操作画面を示している。
【００４３】
画面（Ｂ）３７、画面（Ｃ）４１についても同様であり、画面（Ｂ）３７が機器Ｂ１１の操作画面のトップ画面を示し、画面（Ｂ１）３８〜画面（Ｂ３）４０が機器Ｂ１１を操作するために必要な操作画面を示している。また、画面（Ｃ）４１が機器Ｃ１２の操作画面のトップ画面を示し、画面（Ｃ１）４２〜画面（Ｃ５）４６が機器Ｃ１２を操作するために必要な操作画面を示している。また、各画面のブロックの隣に記載してある数字は各画面の重み、すなわち各画面の使用頻度を示しており、各画面への遷移が行われると、この数字が大きくなる。ここでは、たとえば画面（Ｍ）３１には、１０回、画面遷移していることを示している。また、ここでは初めの「１０」は初期値であり、画面（Ｍ）３１をデフォルトの復帰画面とするための重みである。
【００４４】
図４は、本実施の形態２にかかる設備監視装置を所定の時間だけ稼働させた後の、画面管理手段５が保持する画面ツリー情報を示す概念図である。すなわち、図４は、画面管理手段５が図３に示した画面ツリー情報を保持した状態から所定の時間だけ画面遷移させた後の、画面管理手段５が保持する画面ツリー情報を示している。所定の時間だけ画面遷移させた後の状態では、図４に示したように各画面のブロックの隣に記載してある数字が画面毎に異なっている。これは、各画面に画面遷移が行われることによって、各画面の重みが変化していることに因るものである。
【００４５】
つぎに、本実施の形態にかかる設備管理装置の動作について図３、図４、図５を参照して説明する。図５は、本実施の形態にかかる設備管理装置がブラックアウト状態から通常状態に復帰する際に表示する復帰画面を選択するためのアルゴリズムを説明するためのフローチャートである。
【００４６】
まず、初期状態においては、復帰画面管理手段６により復帰画面が画面Ｍ３１に設定され、画面（Ｍ）３１の重みのみ値「１０」が存在し、それ以外の画面の重みは「０」とされる（ステップＳ１０１）。つぎに、たとえばユーザの画面操作により表示手段３の表示画面が画面（Ａ）３２に遷移する（ステップＳ１０２）。この画面遷移により、画面（Ａ）３２の重み（使用頻度）のカウントが＋１されて「１」となる（ステップＳ１０３）。
【００４７】
つぎに、重み（使用頻度）が＋１された画面（Ａ）３２の画面の重み（使用頻度）と、現在復帰画面に設定されている重み（使用頻度）と、の大きさを復帰画面管理手段６が判断する。この場合には、画面Ａ３２の重みが画面（Ｍ）３１の重みよりも大きいか否かを判断する（ステップＳ１０４）。ここで、重み（使用頻度）が＋１された画面（Ａ）３２の画面の重み（使用頻度）が、現在復帰画面に設定されている画面（Ｍ）３１の重み（使用頻度）よりも小さい場合には、（ステップＳ１０４否定）、画面管理手段５では、つぎの画面遷移が必要であるか否かを復帰画面管理手段６が判断する（ステップＳ１０５）。また、ここで、復帰画面管理手段６においては、復帰画面として、現在復帰画面に設定されている画面（Ｍ）３１が設定、保持され、復帰画面の入れ替えは行われない。
【００４８】
そして、画面管理手段５がつぎの画面遷移が必要であると判断した場合には（ステップＳ１０５肯定）、ステップＳ１０１に戻る。また、画面管理手段５がつぎの画面遷移が必要でないと判断した場合には（ステップＳ１０５否定）、制御手段２はブラックアウト状態に移行するか否かを判断する（ステップＳ１０６）。制御手段２がブラックアウト状態に移行すると判断した場合には（ステップＳ１０６肯定）、復帰画面管理手段６は現在復帰画面に設定されている画面（Ｍ）３１を復帰画面に決定する（ステップＳ１０７）。
【００４９】
一方、ステップＳ１０６に戻って、制御手段２がブラックアウト状態に移行しないと判断した場合には（ステップＳ１０６否定）、ステップＳ１０５に戻る。また、ステップＳ１０４に戻って、＋１された画面（Ａ）３２の画面の重み（使用頻度）が、現在復帰画面に設定されている画面（Ｍ）３１の重み（使用頻度）よりも大きい場合には、（ステップＳ１０４肯定）、復帰画面管理手段６は復帰画面の設定の入れ替えを行い、復帰画面を画面（Ａ）３２に設定し、ステップＳ１０５に進む。なお、この状況は、所定の時間だけ設備監視装置が稼働した後に発生する。
【００５０】
つぎに、図４の状態について説明する。図４は、所定の時間だけ設備監視装置が稼働した後のある時点における画面（Ａ）３２から画面（Ａ１）３３に遷移した状態を示している。この遷移により画面（Ａ１）３３は重み（使用頻度）が＋１され、重み（使用頻度）が「１１」となっている。
【００５１】
ここで、今までの復帰画面であった画面（Ｍ）３１の重み（使用頻度）「１０」と画面（Ａ１）３３の重み「１１」とを比較すると（ステップＳ１０４に対応）、画面（Ａ１）３３の方が重み（使用頻度）が大きくなっている。この場合には、復帰画面の入れ替えが発生し（ステップＳ１０８に対応）、復帰画面管理手段６は復帰画面を画面（Ｍ）３１から画面（Ａ１）３３に変更して設定、保持する。
【００５２】
以上のように、表示画面の重みの概念、すなわち画面の使用頻度の概念を適用することにより、ユーザの使用頻度が多い画面がブラックアウト状態から通常状態への復帰する際の復帰画面とされるため、ユーザは復帰画面がどの接続機器のどの操作画面であるのかを容易に認識することができ、認知性の向上が図られている。
【００５３】
また、復帰画面としてユーザの使用頻度が多い画面が表示されるため、自らが操作したい機器やホームページの閲覧画面等へ進むための操作を判断しやすく、迷うことなくその後の操作を続けることが可能であり、操作性の向上が図られている。
【００５４】
したがって、本実施の形態にかかる設備監視装置１および画面表示方法においても、表示手段３がブラックアウト状態から通常状態に復帰した後の操作性および認知性に優れた設備監視装置が実現することができる、という効果を奏する。
【００５５】
なお、本発明においては、上述したアルゴリズム以外でも、たとえば、表示画面の重みをカウントして加算いく方法だけではなく、たとえば操作されない（表示要求がされない）表示画面の重みを減算していく方法や、表示時間により重みを操作する方法なども適用することが可能である。
【産業上の利用可能性】
【００５６】
以上のように、本発明にかかる画面表示方法は、画面の表示内容が動的に変化する表示装置に有用であり、特に、複数の接続機器の制御、監視を行う設備監視装置に適している。
【図面の簡単な説明】
【００５７】
【図１】本発明の実施の形態１にかかる設備監視装置の機能構成と、該設備監視装置に接続される接続機器と該設備監視装置との接続関係と、を示すブロック図である。
【図２】本発明の実施の形態１における設備監視装置の画面管理手段が保持する画面ツリー情報を示す概念図である。
【図３】本発明の実施の形態１にかかる設備監視装置の画面管理手段が保持する画面ツリー情報を示す概念図である。
【図４】本発明の実施の形態２にかかる設備監視装置を所定の時間だけ稼働させた後の画面管理手段が保持する画面ツリー情報を示す概念図である。
【図５】本発明の実施の形態２にかかる設備管理装置がブラックアウト状態から復帰する画面を選択するためのアルゴリズムを説明するためのフローチャートである。
【符号の説明】
【００５８】
１  設備監視装置
２  制御手段
３  表示手段
４  バックライト
５  画面管理手段
６  復帰画面管理手段
７  ポインティングデバイス
８  機器通信手段
９  通信路
１０  機器Ａ
１１  機器Ｂ
１２  機器Ｃ
３１  メニュー画面
３２、３３、３４、３５、３６  画面（Ａ）に属する画面（Ａ）ツリー
３７、３８、３９、４０  画面（Ｂ）に属する画面（Ｂ）ツリー
４１、４２、４３、４４、４５、４６  画面（Ｃ）に属する画面（Ｃ）ツリー
【図１】
2007121768.tif 000003
【図２】
2007121768.tif 000004
【図３】
2007121768.tif 000005
【図４】
2007121768.tif 000006
【図５】
2007121768.tif 000007